(57)【要約】【課題】トルク管理のための複数のパラメータ値を容易に設定可能とする技術を提供する。【解決手段】モード設定部１７は、パラメータ設定モードまたは作業モードを設定する。パラメータ設定部１５はパラメータ設定モードにおいて、複数のパラメータ値を設定する。トルク推定部１９は、衝撃検出部１２による検出結果を用いて締付トルク値を算出する。制御部１０は作業モードにおいて、パラメータ設定部１５により設定された複数のパラメータ値にもとづいて、トルク推定部１９により算出された締付トルク値にしたがってモータ２の回転を停止させる。パラメータ設定モードにおいて、作業情報記憶部２０は、ユーザ操作による締付作業中にトルク推定部１９により算出された締付トルク値を記憶し、パラメータ設定部１５は、作業情報記憶部２０に記憶された締付トルク値から、複数のパラメータ値を設定する。【選択図】図１
2018122392.tif 000002
【特許請求の範囲】
【請求項１】
モータ出力によって出力軸に間欠的な回転衝撃力を発生させるインパクト機構と、
前記インパクト機構により出力軸に加えられた衝撃を検出する衝撃検出部と、
トルク管理のための複数のパラメータ値を設定するためのパラメータ設定モードまたは作業モードを設定するモード設定部と、
前記衝撃検出部による検出結果を用いて締付トルク値を算出するトルク推定部と、
パラメータ設定モードにおいて、複数のパラメータ値を設定するパラメータ設定部と、
作業モードにおいて、前記パラメータ設定部により設定された複数のパラメータ値にもとづいて、前記トルク推定部により算出された締付トルク値にしたがってモータの回転を停止させる制御部と、を備えたインパクト回転工具であって、
パラメータ設定モードにおいて、ユーザ操作による締付作業中に前記トルク推定部により算出された締付トルク値を記憶する作業情報記憶部をさらに備え、
前記パラメータ設定部は、前記作業情報記憶部に記憶された締付トルク値にもとづいて、複数のパラメータ値を設定する、
ことを特徴とするインパクト回転工具。
【請求項２】
前記トルク推定部は、前記インパクト機構により出力軸に加えられる衝撃ごとに締付トルク値を算出し、
前記作業情報記憶部は、衝撃ごとに算出された締付トルク値を記憶する、
ことを特徴とする請求項１に記載のインパクト回転工具。
【請求項３】
前記パラメータ設定部は、少なくとも、着座を判定するためのトルク値である着座判定レベルと、着座後の前記インパクト機構のシャットオフ衝撃数に対応するトルク設定段数を設定する、
ことを特徴とする請求項１または２に記載のインパクト回転工具。
【請求項４】
前記パラメータ設定部は、少なくとも、締付終了を判定するためのトルク値である目標トルク値を設定する、
ことを特徴とする請求項１または２に記載のインパクト回転工具。
【請求項５】
前記パラメータ設定部により設定された複数のパラメータ値を表示するパラメータ表示部、をさらに備えることを特徴とする請求項１から４のいずれかに記載のインパクト回転工具。
【請求項６】
ユーザからパラメータ値の変更指示を受け付ける受付部、をさらに備え、
前記パラメータ設定部は、ユーザからの変更指示にしたがって、設定したパラメータ値を更新する、
ことを特徴とする請求項５に記載のインパクト回転工具。
【請求項７】
前記パラメータ設定部は、複数回の締付作業のそれぞれについて、複数のパラメータ値を設定可能である、
ことを特徴とする請求項１から６のいずれかに記載のインパクト回転工具。
【発明の詳細な説明】
【技術分野】
【０００１】
本発明は、ボルトやナットなどのねじ部材を間欠的な回転衝撃力により締め付けるインパクト回転工具に関する。
【背景技術】
【０００２】
メカニカル方式のインパクト回転工具は、モータ出力で回転するハンマが出力軸を回転方向に打撃することで出力軸に間欠的な回転衝撃力を発生させて、ねじ部材を締め付ける。またインパクト回転工具の一種であるオイルパルス工具は、モータ出力で回転するライナが油室間に圧力差を生じさせることで出力軸に間欠的な回転衝撃力を発生させて、ねじ部材を締め付ける。インパクト回転工具は組立工場などで使用されるため、ねじ部材の締付トルクは、目標のトルク値となるように正確に管理される必要がある。
【０００３】
締付トルクの管理精度を高めるためには、出力軸にトルク測定手段を設けて実際の締付トルクを直接測定することが好ましいが、工具の高コスト化および大型化を招くという問題がある。そのため従来より、締付トルクが目標トルク値になったことを推定することでモータを自動停止するシャットオフ機能を備えたインパクト回転工具が提供されている。
【０００４】
特許文献１は、ハンマーによる出力軸の打撃を検出する打撃検出手段と、駆動軸の回転速度を検出する入力側回転速度検出手段と、打撃間の出力軸の回転角を検出する打撃間出力側回転角検出手段と、打撃間の駆動軸の平均回転速度から算出した打撃エネルギを打撃間出力側回転角で除算することで締付トルク値を算出する演算手段と、算出した締付トルク値が予め設定されたトルク値以上となるときに回転駆動部を停止させる制御手段とを備えたインパクト回転工具を開示する。
【０００５】
特許文献２は、ねじ部材の頭部が被締付部材に接する着座を検出する着座検出手段と、インパクト機構による打撃を検出する打撃検出手段と、ねじ部材の着座検出後に打撃検出手段で検出された打撃数をカウントして、カウントした打撃数が所定打撃数になるとモータを自動停止させる制御手段とを備えたインパクト回転工具を開示する。
【０００６】
特許文献３は、測定モードにおいて、トリガースイッチがオンされるとトリガースイッチがオフされるまで駆動源を駆動するとともに、最初の衝撃力の発生が検出されてからトリガースイッチがオフされるまでの駆動時間、又はトリガースイッチがオンされてからオフされるまでにセンサにより検出された衝撃力の発生回数を測定する締付工具を開示する。
【先行技術文献】
【特許文献】
【０００７】
【特許文献１】特開２００５−１１８９１０号公報
【特許文献２】特開２００９−８３０３８号公報
【特許文献２】特開２００３−２３１０６８号公報
【発明の概要】
【発明が解決しようとする課題】
【０００８】
着座検出後にカウントした衝撃数が所定衝撃数になるとモータを自動停止させるインパクト回転工具において、目標トルク値と所定衝撃数（以下、「シャットオフ衝撃数」とも呼ぶ）との対応関係は、メモリのマスターテーブルに記憶されている。インパクト回転工具の製造メーカは、所定のねじ部材および被締付部材を用いて、複数の締付トルク値のそれぞれを実現するためのシャットオフ衝撃数を実測してマスターテーブルを作成する。これによりマスターテーブルは、締付トルクの各設定値に対応するシャットオフ衝撃数を保持する。
【０００９】
しかしながら実際の作業対象となるねじ部材および被締付部材は、マスターテーブル作成時のねじ部材および被締付部材と異なることがある。たとえば作業対象である被締付部材が、マスターテーブル作成時の被締付部材より軟らかい場合、インパクト回転工具が、マスターテーブルに保持されたシャットオフ衝撃数でモータ回転を自動停止すると、締付トルク値が目標トルク値に達しないことがある。また逆に、作業対象である被締付部材が、マスターテーブル作成時の被締付部材より硬い場合、インパクト回転工具が、マスターテーブルに保持されたシャットオフ衝撃数でモータ回転を自動停止すると、締付トルク値が目標トルク値を超えることがある。
【００１０】
最近のインパクト回転工具には、作業対象に適した締付工程を実施することを目的として、作業開始前にトルク管理のための複数のパラメータ値をユーザに設定させるものがある。同じ締付作業を繰り返し行う組立工場等の作業現場では、工程管理者が、所定の目標トルク値を得るための複数のパラメータ値をインパクト回転工具に設定し、ライン作業を行う作業者に渡す。そのため工程管理者は、インパクト回転工具を作業者に渡す前に、複数のパラメータ値を仮設定して実際に締付作業を実施し、締め付けられたねじ部材のトルク値を測定して目標トルク値が得られたか確認する確認作業を行っている。このとき目標トルク値が得られていなければ、工程管理者は、パラメータ値を別の値に再設定し、確認作業を繰り返す。
【００１１】
インパクト回転工具において、トルク管理のために複数のパラメータ値を設定可能とすることは、トルク管理精度を向上させる要因となる一方で、工程管理者にとっては、最適なパラメータ値の組合せを探し出すことが難しいという側面がある。特に設定したパラメータ値によって実際の締付トルク値と目標トルク値とが大きく異なる場合には、工程管理者は、どのパラメータを変更すればよいか判断に迷い、最適なパラメータ値の組合せを探し出すために多くの労力と時間を要することがある。
【００１２】
本発明はこうした状況に鑑みなされたものであり、その目的は、トルク管理のための複数のパラメータ値を容易に設定可能とする技術を提供することにある。
【課題を解決するための手段】
【００１３】
上記課題を解決するために、本発明のある態様のインパクト回転工具は、モータ出力によって出力軸に間欠的な回転衝撃力を発生させるインパクト機構と、インパクト機構により出力軸に加えられた衝撃を検出する衝撃検出部と、トルク管理のための複数のパラメータ値を設定するためのパラメータ設定モードまたは作業モードを設定するモード設定部と、衝撃検出部による検出結果を用いて締付トルク値を算出するトルク推定部と、パラメータ設定モードにおいて複数のパラメータ値を設定するパラメータ設定部と、作業モードにおいてパラメータ設定部により設定された複数のパラメータ値にもとづいて、トルク推定部により算出された締付トルク値にしたがってモータの回転を停止させる制御部と、パラメータ設定モードにおいて、ユーザ操作による締付作業中にトルク推定部により算出された締付トルク値を記憶する作業情報記憶部とを備える。パラメータ設定モードにおいてパラメータ設定部は、作業情報記憶部に記憶された締付トルク値にもとづいて、複数のパラメータ値を設定する。
【発明の効果】
【００１４】
本発明によれば、トルク管理のための複数のパラメータ値を容易に設定可能とする技術を提供できる。
【図面の簡単な説明】
【００１５】
【図１】実施形態に係るインパクト回転工具の構成を示す図である。
【図２】ハンマがアンビルに回転方向の打撃を加える様子を示す図である。
【図３】動作モードを説明するための図である。
【図４】実締付トルク値の時間推移の一例を示す図である。
【図５】作業情報記憶部に記憶された衝撃ごとの締付トルク値の一例を示す図である。
【図６】設定される複数のパラメータ値を示す図である。
【図７】作業情報記憶部に記憶された衝撃ごとの締付トルク値の別の例を示す図である。
【図８】作業情報記憶部に記憶された衝撃ごとの締付トルク値のさらに別の例を示す図である。
【発明を実施するための形態】
【００１６】
図１は、本発明の実施形態に係るメカニカル方式のインパクト回転工具の構成を示す。インパクト回転工具１において、電力はバッテリパックに内蔵されたバッテリ１３により供給される。駆動源であるモータ２はモータ駆動部１１により駆動され、モータ２の回転出力は、減速機３によって減速されて駆動軸５に伝達される。駆動軸５には、カム機構（図示せず）を介してハンマ６が連結され、ハンマ６は、ばね４により出力軸８を備えるアンビル７に向けて付勢される。
【００１７】
ハンマ６とアンビル７との間に所定値以上の負荷が作用しない間は、ハンマ６とアンビル７とが回転方向に係合し、ハンマ６は、駆動軸５の回転をアンビル７に伝達する。しかしながらハンマ６とアンビル７との間に所定値以上の負荷が作用すると、ハンマ６がカム機構によりばね４に抗して後退し、ハンマ６とアンビル７との係合状態が解除される。その後、ばね４による付勢とカム機構による誘導により、ハンマ６は回転しながら前進してアンビル７に回転方向の打撃を加える。インパクト回転工具１において、ばね４、駆動軸５、ハンマ６およびカム機構は、モータ出力によってアンビル７および出力軸８に打撃衝撃を加えて、アンビル７および出力軸８に間欠的な回転衝撃力を発生させるインパクト機構９を構成する。
【００１８】
インパクト回転工具１において、制御部１０、パラメータ設定部１５、モード設定部１７、トルク推定部１９などの構成は、制御基板に搭載されるマイクロコンピュータなどにより実現される。制御部１０は、モータ２の回転を制御する機能を有する。操作スイッチ１６はユーザにより操作されるトリガスイッチであって、制御部１０は、操作スイッチ１６の操作によりモータ２のオンオフを制御するとともに、操作スイッチ１６の操作量に応じた駆動指示をモータ駆動部１１に供給する。モータ駆動部１１は、制御部１０から供給される駆動指示によりモータ２の印加電圧を制御して、モータ回転数を調整する。
【００１９】
衝撃検出部１２は、インパクト機構９により出力軸８に加えられた衝撃を検出する。衝撃検出部１２は、ハンマ６がアンビル７を打撃することによる衝撃を検出する衝撃センサと、衝撃センサの出力を増幅して制御部１０およびトルク推定部１９に供給する増幅器を含んで構成されてよい。たとえば衝撃センサは、圧電式ショックセンサであって衝撃に応じた電圧信号を出力し、増幅器は、出力された電圧信号を増幅して制御部１０およびトルク推定部１９に供給する。なお衝撃検出部１２は、別の構成を採用してもよく、たとえば打撃音を検出することで、インパクト機構９により出力軸８に加えられた衝撃を検出する音センサであってもよい。
【００２０】
回転角検出部１８は、モータ２および／またはアンビル７の回転角を検出する。実施形態において回転角検出部１８は、モータ２の回転角を検出するホール素子や磁気ロータリエンコーダであってよい。回転角検出部１８は、モータ回転角検出信号をトルク推定部１９に供給する。トルク推定部１９は、モータ回転角検出信号から、アンビル７の回転角を演算により取得する。ここでトルク推定部１９は、インパクト機構９による衝撃ごとにアンビル７が回転する角度を取得する。以下、１回の衝撃によりアンビル７が回転する角度を、単に「アンビル回転角」と呼ぶ。
【００２１】
図２（ａ）〜図２（ｃ）は、ハンマ６がアンビル７に回転方向の打撃を加える様子を示す。ハンマ６は、前面から立設する一対のハンマ爪６ａ、６ｂを有し、アンビル７は、中心部から径方向に延びる一対のアンビル爪７ａ、７ｂを有する。
【００２２】
図２（ａ）は、ハンマ爪とアンビル爪とが周方向に係合した状態を示す。ハンマ爪６ａおよびハンマ爪６ｂは、それぞれアンビル爪７ａおよびアンビル爪７ｂに係合して、矢印Ａで示す方向に回転力を加える。
図２（ｂ）は、ハンマ爪とアンビル爪との係合状態が解除された状態を示す。係合状態においてハンマ６とアンビル７の間に所定値以上の負荷が作用すると、ハンマ６はカム機構（図示せず）により後退し、ハンマ爪６ａとアンビル爪７ａとの係合状態、およびハンマ爪６ｂとアンビル爪７ｂとの係合状態がそれぞれ解除される。
図２（ｃ）は、ハンマ爪がアンビル爪を打撃してアンビル７を回転させた状態を示す。ハンマ爪６ａ、６ｂとアンビル爪７ａ、７ｂとの係合状態が解除されると、ハンマ６は矢印Ａで示す方向に回転しながら前進して、ハンマ爪６ａ、ハンマ爪６ｂが、それぞれアンビル爪７ｂ、アンビル爪７ａを打撃する。この打撃衝撃によりアンビル７は、ｌ１とｌ２のなす角度φだけ回転し、このときハンマ６の回転角は（π＋φ）となる。
【００２３】
トルク推定部１９は、衝撃検出部１２による検出結果および回転角検出部１８による検出結果を用いて、締付トルク値Ｔを算出する。
まずトルク推定部１９は、以下の式１を用いて、衝撃間のモータ回転角θから、１衝撃あたりのアンビル回転角φを取得する。衝撃検出部１２がインパクト機構９による衝撃を検出すると、トルク推定部１９は、衝撃が検出されたタイミングで、モータ回転角検出信号から衝撃間のアンビル回転角φを導出する。
φ＝（θ／η）−π  ・・・  （式１）
ここでηは減速機３による減速比を示す。
ハンマ６がアンビル７を打撃するたびに、ねじ部材の締付トルクは大きくなるため、ねじ部材着座後に打撃衝撃ごとに取得されるアンビル回転角φは徐々に小さくなる傾向を示す。
【００２４】
トルク推定部１９は、アンビル７および出力軸８の慣性モーメントをＪ、衝撃間の打撃速度ωとするとき、以下の式２を用いて、締付トルク値Ｔを算出する。
Ｔ＝（Ｊ×ω２）／（２×φ）  ・・・  （式２）
【００２５】
このようにトルク推定部１９は、衝撃間のモータ回転角θを用いて１回の衝撃によるアンビル回転角φを取得するが、別の例では回転角検出部１８が、アンビル７の回転角を直接検出してもよい。このときトルク推定部１９は、回転角検出部１８から供給されるアンビル回転角検出信号にもとづいて、衝撃間のアンビル回転角φを取得し、式２を用いて締付トルク値Ｔを算出する。
【００２６】
実施形態のインパクト回転工具１は、動作モードとして「パラメータ設定モード」と「作業モード」を少なくとも有して構成される。ユーザがたとえばリモートコントローラ（以下、「リモコン」と呼ぶ）からモード選択を行うことで、選択された動作モードがインパクト回転工具１に設定される。図３は、インパクト回転工具における動作モードを説明するための図である。
【００２７】
「パラメータ設定モード」は、トルク管理のための複数のパラメータ値を設定するためのモードであり、作業開始前に選択されて、工程管理者が複数のパラメータ値を決定するために使用される。パラメータ設定モードにおいて、パラメータ設定部１５が、複数のパラメータ値を設定する。
【００２８】
「パラメータ設定モード」は「自動設定モード」と「調整モード」を有する。自動設定モードは、ユーザ操作による締付作業において算出した推定トルク値をもとに、複数パラメータの初期値を自動設定するモードであり、調整モードは、複数パラメータ値の設定値をユーザが調整するモードである。
【００２９】
「作業モード」は、締付作業を実施するモードである。「作業モード」は「トルク管理モード」と「通常モード」を有する。トルク管理モードにおいて制御部１０は、パラメータ設定部１５により設定された複数のパラメータ値にもとづき、トルク推定部１９により算出された締付トルク値にしたがってモータ２の回転を停止させるシャットオフ機能を実施する。
【００３０】
一方、通常モードにおいて制御部１０は、シャットオフ機能を実施せず、ユーザによる操作スイッチ１６の操作量に応じてモータ２を制御し、ユーザが操作スイッチ１６をオフすると、モータ２の回転を停止させる。
【００３１】
ユーザがリモコンを操作してモード選択を行うと、受付部１４が、ユーザによるモード選択操作を受け付け、モード設定部１７がインパクト回転工具１の動作モードとして、パラメータ設定モードまたは作業モードを設定する。作業現場において、まず工程管理者がパラメータ設定モードの自動設定モードを選択して、複数パラメータの設定値を初期設定する。工程管理者は、必要に応じてパラメータ設定モードの調整モードを選択して、複数パラメータの設定値を調整し、最終的な設定値を決定する。複数パラメータ値の設定を終了すると、工程管理者は、動作モードのトルク管理モードを選択して、作業者に渡す。これにより作業者は、最適なパラメータ値を設定されたインパクト回転工具１を使用して、ライン作業を実施する。作業現場においてモード選択の権限は工程管理者のみに与えられ、作業者は、モード選択できない運用としてもよい。
【００３２】
インパクト回転工具１はトルク管理モードにおいて、トルク推定部１９により算出される締付トルク値を用いてねじ部材の着座を判定し、着座後に衝撃検出部１２により検出される衝撃数をカウントしてモータ２の回転を自動停止するシャットオフ制御を行う。そのためインパクト回転工具１は、トルク管理のためのパラメータとして、「着座判定レベル」と「トルク設定段数」の設定を要求する。
【００３３】
着座判定レベルは、ねじ部材の着座を判定するためのトルク値を定めるパラメータであり、たとえば９つの選択肢（Ｌ１〜Ｌ９）を用意される。作業対象に塗装などが付着して途中負荷が高い場合には高い着座判定レベルが設定され、途中負荷が低い場合には小さい着座判定レベルが設定されることが好ましい。
【００３４】
トルク設定段数は、モータ２を自動停止させるための着座後の衝撃数（シャットオフ衝撃数）を定めるパラメータであり、たとえば１００の選択肢（Ｎ００〜Ｎ９９）を用意される。各設定段数には、着座後のシャットオフ衝撃数が対応付けられており、たとえばＮ００には１０回、Ｎ０１には１２回、Ｎ０２には１４回、Ｎ０６には１６回、とシャットオフ衝撃数が対応付けられていてよい。着座判定レベルおよびトルク設定段数のパラメータ値は、マスターテーブル２１に記憶されている。
【００３５】
工程管理者は作業開始前に、所定の目標トルク値を得るための「着座判定レベル」と「トルク設定段数」をインパクト回転工具１に設定しなければならない。
以下、工程管理者が、適切と考える「着座判定レベル」と「トルク設定段数」を設定してトルク管理モードで締付作業を行い、実際の締付トルク値（以下、「実締付トルク値」とも呼ぶ）が目標トルク値に一致するか確認する作業について検討する。工程管理者は、ねじ部材の実締付トルクを測定し、実締付トルク値が目標トルク値に一致していれば、そのままの状態でインパクト回転工具１を作業に使用できることを確認する。
【００３６】
しかしながら、実締付トルク値は目標トルク値に一致しないことの方が多く、工程管理者は、着座判定レベルおよび／またはトルク設定段数を別のパラメータ値に再設定して、確認作業を再度実施する。この確認作業は、実締付トルク値が目標トルク値に一致するまで繰り返される。特に実施形態のインパクト回転工具１のように、設定するパラメータが複数存在し、また各パラメータの選択肢が多い場合には、工程管理者は、最適なパラメータ値を決めるために多くの労力と時間を要することになる。
【００３７】
そこで実施形態のインパクト回転工具１は、熟練者が通常モードで作業対象であるねじ部材の締付作業を行った作業情報を記憶し、複数のパラメータ値を作業情報をもとに初期設定可能および調整可能とするパラメータ設定モードを用意している。
【００３８】
工程管理者がリモコンを操作して、パラメータ設定モードの自動設定モードを選択すると、受付部１４がリモコンからのモード選択操作を受け付け、モード設定部１７が動作モードを自動設定モードに設定する。これによりパラメータ設定部１５が、自動設定モードで動作する。なお自動設定モードにおいて、制御部１０は通常モードで動作する。
【００３９】
自動設定モードでは、熟練者である工程管理者が自身の経験と勘を頼りに、通常モードで作業対象の締付作業を実施する。通常モードでは、操作スイッチ１６が引き操作されている間、モータ２が回転し、操作スイッチ１６がオフにされると、モータ２の回転が停止する。工程管理者は、ねじ部材の締付トルク値が目標トルク値になったと判断したときに操作スイッチ１６をオフにする。自動設定モードでは、熟練者である工程管理者が締め付けたねじ部材の締付トルク値が、目標トルク値またはその近傍値となることを利用する。自動設定モードにおいて、作業情報記憶部２０は、工程管理者の操作による締付作業中にトルク推定部１９により衝撃ごとに算出された締付トルク値を記憶する。
【００４０】
図４は、自動設定モードにおける実締付トルク値の時間推移の一例を示す。なお図４における実締付トルク値は、インパクト回転工具１により実際に測定されるものではなく、ねじ部材の着座までの間に途中負荷が存在したときの推移例として示したものであることに留意されたい。
【００４１】
この締付作業では、工程管理者が時間ｔ０で、操作スイッチ１６の引き操作を開始する。時間ｔ１でハンマ６による打撃が開始され、時間ｔ２で打撃が一旦終了する。時間ｔ１から時間ｔ２までの間の打撃は、途中負荷に対するものである。その後、時間ｔ３でハンマ６による打撃が再開され、時間ｔ４で工程管理者が操作スイッチ１６から指を離してスイッチオフにする。これによりモータ回転が停止して、締付作業が終了する。熟練者による締付作業により、モータ回転の停止時、ねじ部材の締付トルク値は、目標トルク値またはその近傍値となっている。
【００４２】
締付作業中、トルク推定部１９は、衝撃検出部１２による検出結果および回転角検出部１８による検出結果を用いて衝撃ごとの締付トルク値を算出し、作業情報記憶部２０に記憶する。締付作業の終了後、パラメータ設定部１５は、作業情報記憶部２０に記憶された締付トルク値にもとづいて、複数のパラメータ値、つまり「着座判定レベル」と「トルク設定段数」の設定値を導出する。
【００４３】
図５は、作業情報記憶部２０に記憶された衝撃ごとの締付トルク値の一例を示す。図５は、図４に示すように実締付トルク値が推移したときに、トルク推定部１９が算出する締付トルク値を表現している。この締付作業では、衝撃検出部１２が、インパクト機構９による衝撃をＮｅ回検出している。
【００４４】
パラメータ設定部１５は、着座判定レベルとトルク設定段数のうち、最初に着座判定レベルを設定する。図５に示す例では、途中負荷によるピーク推定トルク値ＴａがＬ１より大きい。そのためパラメータ設定部１５は、Ｌ１を着座判定レベルに設定できないことを判断する。
【００４５】
上記したようにトルク推定部１９は、式２を用いて、締付トルク値Ｔを算出する。ねじ部材の締付工程では、着座後に、衝撃間のアンビル回転角φは次第に小さくなるため、回転角検出部１８の分解能が低ければ、トルク推定部１９による計算誤差が大きくなる。そのため着座判定レベルは、着座直後のトルク値に設定することが理想的である。着座判定レベルの最低トルク値であるＬ１が着座直後のトルク値に設定されている場合、パラメータ設定部１５は、Ｌ２を着座判定レベルに設定してよい。なお図５に示すように途中負荷がある場合、途中負荷のばらつきに配慮して、パラメータ設定部１５は、ピーク推定トルク値Ｔａよりも所定値以上大きいトルク値、たとえばＬ３を着座判定レベルに設定してもよい。
【００４６】
図６は、パラメータ設定部１５により設定される複数のパラメータ値を示す図である。パラメータ設定部１５は、Ｌ３を着座判定レベルに設定すると、算出した締付トルク値がＬ３となる衝撃数Ｎａを導出する。パラメータ設定部１５は、トータルの衝撃数Ｎｅから衝撃数Ｎａを減算した衝撃数をシャットオフ衝撃数と定め、シャットオフ衝撃数に対応するトルク設定段数を導出する。以下、（Ｎｅ−Ｎａ）回のシャットオフ衝撃数に対応するトルク設定段数が「Ｎ２５」であるとする。
【００４７】
パラメータ設定部１５が、着座判定レベルを「Ｌ３」、トルク設定段数を「Ｎ２５」として初期設定すると、パラメータ表示部２２は、パラメータ設定部１５により設定された複数のパラメータ値を表示する。パラメータ表示部２２は、たとえば７セグメントディスプレイや液晶ディスプレイで構成されてよい。パラメータ表示部２２が、パラメータ設定部１５により設定された複数のパラメータ値を表示することで、工程管理者は、実際に行った締付作業をトルク管理モードで再現するための複数のパラメータ値を知ることになる。
【００４８】
工程管理者は、ねじ部材の実締付トルクを、戻しトルク法、マーク法、増し締めトルク法などの既知の検査手法により測定する。このとき実締付トルク値が目標トルク値に一致していれば、工程管理者は、インパクト回転工具１の着座判定レベルを「Ｌ３」、トルク設定段数を「Ｎ２５」に設定して、作業者に渡す。
【００４９】
実締付トルク値が目標トルク値に一致していない場合であっても、熟練者である工程管理者が締付作業を行っているため、実締付トルク値は目標トルク値の近傍値となっている。工程管理者がリモコンを操作して、パラメータ設定モードの調整モードを選択すると、受付部１４がリモコンからのモード選択操作を受け付け、モード設定部１７が動作モードを調整モードに設定する。これによりパラメータ設定部１５が、調整モードで動作する。なお自動設定モードにおいて、制御部１０はトルク管理モードで動作する。
【００５０】
調整モードにおいて工程管理者はリモコンを操作して、パラメータ値の変更指示をインパクト回転工具１に送信する。たとえば実締付トルク値が目標トルク値よりも小さければ、工程管理者は、その差分に応じてシャットオフ衝撃数を増やすように、「Ｎ２５」よりも高いトルク設定段数への変更指示をリモコンに入力する。逆に、実締付トルク値が目標トルク値よりも大きければ、工程管理者は、その差分に応じてシャットオフ衝撃数を減らすように、「Ｎ２５」よりも低いトルク設定段数への変更指示をリモコンに入力する。受付部１４はリモコンからパラメータ値の変更指示を受け付け、パラメータ設定部１５は、工程管理者からの変更指示にしたがって、設定したパラメータ値を更新する。パラメータ設定部１５がパラメータ値を更新すると、工程管理者は、更新されたパラメータ値を設定したインパクト回転工具１を用いて締付作業を実施し、締め付けたねじ部材の実締付トルク値を測定して、目標トルク値に一致するか確認する作業を行う。
【００５１】
調整モードでは、制御部１０が、パラメータ設定部１５により更新された複数のパラメータ値を取得し、トルク管理モードでモータ２の回転を制御する。制御部１０が、「Ｌ３」の着座判定レベルおよび「Ｎ２６」のトルク設定段数を取得した場合について説明する。工程管理者が操作スイッチ１６を引き操作すると、制御部１０は、トルク推定部１９により算出される締付トルク値を監視し、算出された締付トルク値が「Ｌ３」に達すると、衝撃検出部１２で検出される衝撃数のカウントを開始する。制御部１０は、カウントした衝撃数が「Ｎ２６」のトルク設定段数に対応するシャットオフ衝撃数になると、モータ２の回転を自動停止させる。
【００５２】
工程管理者は、調整モードにおいて締め付けたねじ部材の実締付トルク値を測定して、目標トルク値に一致するか確認する。実施形態のインパクト回転工具１によると、自動設定モードにおいてパラメータ設定部１５は、ほぼ最適な複数のパラメータ値を自動設定しているため、調整モードで工程管理者は、自動設定された複数のパラメータ値を微調整するだけでよい。そのため調整モードにおいて、工程管理者は何回も確認作業を行う必要がなく、最適なパラメータ値を短時間で探し出すことが可能となる。
【００５３】
図７は、作業情報記憶部２０に記憶された衝撃ごとの締付トルク値の別の例を示す。図７に示す例では、途中負荷によるピーク推定トルク値ＴｂがＬ６より大きい。そのためパラメータ設定部１５は、Ｌ１〜Ｌ６を着座判定レベルに設定できないことを判断する。この場合、パラメータ設定部１５は、途中負荷のばらつきに配慮して、ピーク推定トルク値Ｔｂよりも所定値以上大きいトルク値、たとえばＬ８を着座判定レベルに設定する。
【００５４】
パラメータ設定部１５は、Ｌ８を着座判定レベルに設定すると、算出した締付トルク値がＬ８となる衝撃数Ｎｂを導出する。パラメータ設定部１５は、トータルの衝撃数Ｎｅから衝撃数Ｎｂを減算した衝撃数をシャットオフ衝撃数と定め、シャットオフ衝撃数に対応するトルク設定段数を導出する。（Ｎｅ−Ｎｂ）回のシャットオフ衝撃数に対応するトルク設定段数が「Ｎ１５」であるとする。
【００５５】
パラメータ設定部１５が、着座判定レベルを「Ｌ８」、トルク設定段数を「Ｎ１５」として初期設定すると、パラメータ表示部２２は、パラメータ設定部１５により設定された複数のパラメータ値を表示する。それから工程管理者は実締付トルク値を測定して、実締付トルク値が目標トルク値に一致していれば、着座判定レベル「Ｌ８」、トルク設定段数「Ｎ１５」を確定し、一致していなければ、パラメータ値を微調整して、確認作業を実施する。
【００５６】
図８は、作業情報記憶部２０に記憶された衝撃ごとの締付トルク値のさらに別の例を示す。図８に示す例では、途中負荷によるピーク推定トルク値ＴａがＬ１より大きい。また推定トルク値Ｔｃ以上の算出結果が安定して得られていない。この一つの要因は、上記したように、回転角検出部１８の分解能が低い場合にアンビル回転角φを正確に求められないことにある。
【００５７】
パラメータ設定部１５は、Ｌ１を着座判定レベルに設定できず、且つ安定した推定トルク値を得られていないＴｃ以上のトルク値も着座判定レベルに設定できないことを判断する。この場合、パラメータ設定部１５は、図６に示した例と同様に、Ｌ３を着座判定レベルに設定してよい。
【００５８】
以上は、１つの作業箇所における締付作業について説明したが、ライン作業では、１つの被締付部材の面上に、複数のねじ部材を所定の順序で締め付けることが多い。この場合、先にねじ部材を締結した部位が相対的に沈み込むことで、後からねじ部材を締結する部位が元の状態から若干傾く。そのため後から締め付けるねじ部材に対して、被締付部材の傾きによる途中負荷が大きくなることがある。そこで、１つの被締付部材の面上に複数のねじ部材を所定の順序で締め付ける工程に対して、工程管理者は、パラメータ設定モードで、ねじ部材の複数回の締付作業を所定の順序で実施し、パラメータ設定部１５は、複数回の締付作業のそれぞれについて、複数の最適なパラメータ値を設定してよい。
【００５９】
パラメータ設定部１５は、作業順序ごとのパラメータ値を設定し、メモリ（図示せず）に記憶する。トルク管理モードにおいて制御部１０は、パラメータ設定部１５から作業順序ごとのパラメータ値を取得し、作業順序に応じたパラメータ値を用いて、モータ２の回転を制御する。このようにパラメータ設定部１５が、複数回の締付作業のそれぞれについて複数のパラメータ値を設定可能とすることで、制御部１０は、ねじ部材ごとの最適なパラメータ値を用いて、高精度なトルク管理を行うことができる。
【００６０】
なおインパクト回転工具１は、トルク管理のためのパラメータとして、「着座判定レベル」と「トルク設定段数」の設定を要求することとしたが、さらに「モータ回転数」の設定を要求してもよい。特に小さなねじ部材の締付作業では、目標締付トルク値が小さくモータ回転数を低くすることが好ましいため、インパクト回転工具１が「モータ回転数」の設定を要求することは好適である。パラメータ設定モードにおいて、作業情報記憶部２０は、締付作業中のモータ回転数を記憶し、工程管理者による締付作業の終了後は、パラメータ表示部２２が、モータ回転数を表示する。表示されたモータ回転数は、調整モードにおいて工程管理者により変更可能とされる。なお作業モードにおいて、工程管理者が操作スイッチ１６の操作量を調整してモータ回転数を低速に維持することは容易でないため、パラメータ設定部１５は、締付作業開始前に、工程管理者からの指示によって一定のモータ回転数を設定し、作業情報記憶部２０に記憶してもよい。
【００６１】
以上、本発明を実施形態をもとに説明した。この実施形態は例示であり、それらの各構成要素あるいは各処理プロセスの組合せにいろいろな変形例が可能なこと、またそうした変形例も本発明の範囲にあることは当業者に理解されるところである。
【００６２】
実施形態では、インパクト回転工具１が、トルク管理のためのパラメータとして「着座判定レベル」および「トルク設定段数」を要求した。変形例では、回転角検出部１８の分解能が高いことを条件として、インパクト回転工具１が、トルク管理のためのパラメータとして「目標トルク値」および「モータ回転数」を要求してもよい。この変形例では、制御部１０が、トルク推定部１９により算出された締付トルク値が目標トルク値となると、モータ２の回転を停止するシャットオフ制御を実施してよい。
【００６３】
また実施形態のインパクト回転工具１は、駆動源として電動モータであるモータ２を搭載しているが、他の種類のモータ、たとえばエアモータを搭載してもよい。また実施形態のインパクト回転工具１はメカニカル方式の回転工具であるが、他の種類のインパクト回転工具、たとえばオイルパルス工具であってもよい。
【００６４】
本発明の態様の概要は、次の通りである。
本発明のある態様のインパクト回転工具（１）は、モータ出力によって出力軸（８）に間欠的な回転衝撃力を発生させるインパクト機構（９）と、インパクト機構により出力軸に加えられた衝撃を検出する衝撃検出部（１２）と、トルク管理のための複数のパラメータ値を設定するためのパラメータ設定モードまたは作業モードを設定するモード設定部（１７）と、衝撃検出部による検出結果を用いて締付トルク値を算出するトルク推定部（１９）と、パラメータ設定モードにおいて、複数のパラメータ値を設定するパラメータ設定部（１５）と、作業モードにおいて、パラメータ設定部により設定された複数のパラメータ値にもとづいて、トルク推定部により算出された締付トルク値にしたがってモータの回転を停止させる制御部（１０）と、を備える。インパクト回転工具（１）は、パラメータ設定モードにおいて、ユーザ操作による締付作業中にトルク推定部により算出された締付トルク値を記憶する作業情報記憶部（２０）をさらに備える。パラメータ設定部（１５）は、作業情報記憶部（２０）に記憶された締付トルク値にもとづいて、複数のパラメータ値を設定してよい。
【００６５】
トルク推定部（１９）は、インパクト機構により出力軸に加えられる衝撃ごとに締付トルク値を算出し、作業情報記憶部（２０）は、衝撃ごとに算出された締付トルク値を記憶してよい。
【００６６】
パラメータ設定部（１５）は、少なくとも、着座を判定するためのトルク値である着座判定レベルと、着座後のインパクト機構のシャットオフ衝撃数に対応するトルク設定段数を設定してよい。またパラメータ設定部（１５）は、少なくとも、締付終了を判定するためのトルク値である目標トルク値を設定してよい。
【００６７】
インパクト回転工具（１）は、パラメータ設定部により設定された複数のパラメータ値を表示するパラメータ表示部（２２）をさらに備えてもよい。インパクト回転工具（１）は、ユーザからパラメータ値の変更指示を受け付ける受付部（１４）をさらに備え、パラメータ設定部（１５）は、ユーザからの変更指示にしたがって、設定したパラメータ値を更新してもよい。パラメータ設定部（１５）は、複数回の締付作業のそれぞれについて、複数のパラメータ値を設定可能であってよい。
【符号の説明】
【００６８】
１・・・インパクト回転工具、２・・・モータ、９・・・インパクト機構、１０・・・制御部、１１・・・モータ駆動部、１２・・・衝撃検出部、１３・・・バッテリ、１４・・・受付部、１５・・・パラメータ設定部、１６・・・操作スイッチ、１７・・・モード設定部、１８・・・回転角検出部、１９・・・トルク推定部、２０・・・作業情報記憶部、２１・・・マスターテーブル、２２・・・パラメータ表示部。
【図１】
2018122392.tif 000003
【図２】
2018122392.tif 000004
【図３】
2018122392.tif 000005
【図４】
2018122392.tif 000006
【図５】
2018122392.tif 000007
【図６】
2018122392.tif 000008
【図７】
2018122392.tif 000009
【図８】
2018122392.tif 000010